(57)【要約】      （修正有）【課題】振動を受けてもナット同士が緩まないストッパーネジの装置を提供する。【解決手段】ア）ネジ穴を設けたナット１であって、その一端に台型の凸起２を設けて、台型の凸起２の一端の周囲に溝４を設けてなる、ナット１、（イ）ナット５であって、その一端にネジ穴と台型の穴６を設けて、ナット５の側面にネジ穴８を設けてなる、ナット５、（ウ）ボルトのネジ１０、及び、（エ）ストッパーネジ９からなり、ボルトのネジ１０に設けたナット１の台型の凸起２にナット５の台型の穴６を合せて締めて、ナット５が強く締まったらナット５の側面に設けたネジ穴８にストッパーネジ９を締めて通してストッパーネジ９の底を台型の凸起２の周囲に設けた溝４に当てて強く押してナット１とナット５の回転止をしてナット同士がボルトのネジ１０から緩むのを防止することを特徴とする。【選択図】図８
0003210070.tif 000002
【実用新案登録請求の範囲】
【請求項１】
ネジ穴（３）を設けたナット（１）の一端に台型の凸起（２）を設けて、台型の凸起（２）の一端の周囲に溝（４）を設ける。
ナット（５）の一端にネジ穴（７）と台型の穴（６）を設けて、ナット（５）の側面にネジ穴（８）を設ける。
前記、ボルトのネジ（１０）に設けたナット（１）の台型の凸起（２）に、前期、ナット（５）の台型の穴（６）を合わせて締めて、ナット（５）が強く締まったら、前期、ナット（５）の側面に設けたネジ穴（８）にストッパーネジ（９）を締めて通してストッパーネジ（９）の底を台型の凸起（２）の周囲に設けた溝（４）に当てて強く押してナット（１）とナット（５）の回転止をしてナット同士がボルトのネジ（１０）から緩むのを防止するストッパーネジ（９）の装置。
【考案の詳細な説明】
【技術分野】
【０００１】  この考案は、ナットの台型の凸起に、ナットの台型の穴を合わせて締めて、強く締まったナット同士が緩まないようにナットの側面のネジ穴にストッパーネジを締めて通して台型の凸起の周囲に設けた溝にストッパーネジの底を当てて押し、ナット同士の回転止をして、ナットの緩み止をするストッパーネジの装置に関するものである。
【背景技術】
【０００２】  従来、ボルトに設けた物体をダブルナットを用いて固定するときは、ナット（１）を物体に締め付け、物体を締め付けたナット（１）にナット（２）を重ねて締めてナット（１）をナット（２）に逆転させてボルトネジに圧着するために、ナット（１）が物体を強く固定することは出来なかった。
そのために、物体を強く固定することが出来ない欠点があった。
又、ナットは、振動を受けると緩みやすくなる欠点もあった。
【考案が解決しようとする課題】
【０００３】  本考案は、ナット（１）の台型の凸起（２）の一端の周囲に溝（４）を設けたナット（１）と、ナット（５）に台型の穴（６）を設けたナット（５）を作り、台型の凸起（２）に台型の穴（６）を合せてボルトネジ（１０）にナット（１）とナット（５）を締めてナット同士が圧着して強く締まったらナット（５）の側面のネジ穴（８）にストッパーネジ（９）を通して締めて台型の凸起（２）の周囲の溝（４）にストッパーネジ（９）の底を当てて押し、ナット同士の回転止をしてナットやボルトネジが振動を受けても緩まないナットを作ることを課題に研究を進めた。
【課題を解決するための手段】
【０００４】イ、ナット（１）に台型の凸起（２）を設け、台型の凸起（２）の一端の周囲に溝（４）を設け、ナット（１）の一端にネジ穴（３）を設ける。
ロ、ナット（５）の一端に台型の穴（６）とネジ穴（７）を設けて、ナット（５）の側面にネジ穴（８）を設ける。
ハ、台型の凸起（２）と台型の穴（６）を合せてナット（１）とナット（５）をボルトのネジ（１０）に締めてボルトのネジ（１０）のネジ山に、ナット（１）とナット（５）のネジ山が強く圧着したら、ナット（５）の側面のネジ穴（８）にストッパーネジ（９）を締めて通して台型の凸起（２）の周囲に設けた溝（４）にストッパーネジ（９）の底を当てて押し、ナット同士の回転止をしてナット（１）と、ナット（５）の緩むのを防止する。
【考案の実施と形態】
【０００５】  本考案は、ナット（１）の台型の凸起（２）と、ナット（５）の台型の穴（６）を合せてネジ穴（３）とネジ穴（７）をボルトのネジ（１０）に通して締めると、台型の凸起（２）に台型の穴（６）の全体がかぶさって密着して締まり、ボルトのネジ（１０）のネジ山にナット（１）のネジ穴（３）と、ナット（５）のネジ穴（７）のネジ山が強く噛み合いナット（１）とナット（５）が動かなくなったら現状を維持するためにナット（５）の側面のネジ穴（８）にスットパーネジ（９）を締めて通して台型の凸起（２）の周囲に設けた溝（４）の側面にストッパーネジ（９）の底を当てて押し、ナット（１）とナット（５）の回転止をして、ナット（１）とナット（５）の緩むのを防止するストッパーネジ（９）の装置。
尚、本考案は、ナット（５）の側面に複数のネジ穴（８）を設けて、複数のストッパーネジ（９）の底を台型の凸起に設けた溝（４）に当てて押して使用することも出来る。
又、円筒の溝（４）を台型の凸起（２）の傾斜の反対に傾いた傾斜を設けて作ることも出来る。
【本考案の効果】
【０００６】  そのために、ストッパーネジで固定したナット（１）とナット（５）や、ボルトのネジ（１０）が振動を受けてもナット同士が緩まなくなる効果がある。
尚、本考案の装置は、ナット（５）の側面のネジ穴（８）にストッパーネジ（９）を締めて通して台型の凸起（２）の周囲に設けた溝（４）の側面をストッパーネジ（９）の底が押してナット（１）とナット（５）の緩むのを防止する方法と、台型の凸起（２）に台型の穴（６）をはめて密着させてナット（１）とナット（５）の回転止をする二種類の方法を同じに行うことが出来るストッパーネジの装置。
又、台型の凸起（２）に台型の穴（６）を合わせてナット（５）を締めると強く締まり、ナット（５）をゆるめると簡単に緩む長所もある。
【図面の簡単な説明】
【０００７】
【図１】は、平面図
【図２】は、側面図
【図３】は、背面図
【図４】は、平面図
【図５】は、側面図
【図６】は、側面図
【図７】は、側面図
【図８】は、一部カットした側面図
【符号の説明】
【０００８】１は、ナット
２は、台型の凸起
３は、ネジ穴
４は、溝
５は、ナット
６は、台型の穴
７は、ネジ穴
８は、ネジ穴
９は、ストッパーネジ
１０は、ボルトネジ
【図１】
0003210070.tif 000003
【図２】
0003210070.tif 000004
【図３】
0003210070.tif 000005
【図４】
0003210070.tif 000006
【図５】
0003210070.tif 000007
【図６】
0003210070.tif 000008
【図７】
0003210070.tif 000009
【図８】
0003210070.tif 000010
【手続補正書】
【提出日】平成28年11月24日(2016.11.24)
【手続補正１】
【補正対象書類名】実用新案登録請求の範囲
【補正対象項目名】全文
【補正方法】変更
【補正の内容】
【実用新案登録請求の範囲】
【請求項１】
ネジ穴（３）を設けたナット（１）の一端に台型の凸起（２）を設けて、台型の凸起（２）の一端の周囲に溝（４）を設け、ナット（５）の一端にネジ穴（７）と台型の穴（６）を設けて、ナット（５）の側面にネジ穴（８）を設ける。
前記、ボルトのネジ（１０）に設けたナット（１）の台型の凸起（２）にナット（５）の台型の穴（６）を合せて締めて、ナット（５）が強く締まったらナット（５）の側面に設けたネジ穴（８）にストッパーネジ（９）を締めて通してストッパーネジ（９）の底を台型の凸起（２）の周囲に設けた溝（４）に当てて強く押してナット（１）とナット（５）の回転止をしてナット同士がボルトのネジ（１０）から緩むのを防止するストッパーネジ（９）。
以上の構成からなることを特徴とするストッパーネジの装置。
【手続補正書】
【提出日】平成29年2月3日(2017.2.3)
【手続補正１】
【補正対象書類名】実用新案登録請求の範囲
【補正対象項目名】全文
【補正方法】変更
【補正の内容】
【実用新案登録請求の範囲】
【請求項１】
ストッパーネジ装置であって、
（ア）ネジ穴（３）を設けたナット（１）であって、その一端に台型の凸起（２）を設けて、台型の凸起（２）の一端の周囲に溝（４）を設けてなる、ナット（１）、
（イ）ナット（５）であって、その一端にネジ穴（７）と台型の穴（６）を設けて、該ナット（５）の側面にネジ穴（８）を設けてなる、ナット（５）、
（ウ）ボルトのネジ（１０）、及び、
（エ）ストッパーネジ（９）からなり、
ボルトのネジ（１０）に設けたナット（１）の台型の凸起（２）にナット（５）の台型の穴（６）を合せて締めて、ナット（５）が強く締まったらナット（５）の側面に設けたネジ穴（８）にストッパーネジ（９）を締めて通してストッパーネジ（９）の底を台型の凸起（２）の周囲に設けた溝（４）に当てて強く押してナット（１）とナット（５）の回転止をしてナット同士がボルトのネジ（１０）から緩むのを防止することを特徴とする、ストッパーネジの装置。